(57)【要約】【課題】放電灯のちらつきが生じることを抑制できる放電灯駆動装置を提供する。【解決手段】本発明の放電灯駆動装置の一つの態様は、電極を有する放電灯に駆動電力を供給する放電灯駆動部と、放電灯駆動部を制御する制御部と、を備え、制御部は、放電灯に第１駆動電力を供給する定常点灯駆動と、放電灯に第１駆動電力よりも大きい第２駆動電力を供給する高電力駆動と、を実行可能であり、高電力駆動による電極への熱負荷の大きさは、第１駆動電力に基づいて設定されることを特徴とする。【選択図】図７
2016051628.tif 000002
【特許請求の範囲】
【請求項１】
電極を有する放電灯に駆動電力を供給する放電灯駆動部と、
前記放電灯駆動部を制御する制御部と、
を備え、
前記制御部は、前記放電灯に第１駆動電力を供給する定常点灯駆動と、前記放電灯に前記第１駆動電力よりも大きい第２駆動電力を供給する高電力駆動と、を実行可能であり、
前記高電力駆動による前記電極への熱負荷の大きさは、前記第１駆動電力に基づいて設定されることを特徴とする放電灯駆動装置。
【請求項２】
前記熱負荷の大きさは、前記第１駆動電力が小さいほど小さく設定される、請求項１に記載の放電灯駆動装置。
【請求項３】
前記熱負荷の大きさは、前回実行された前記定常点灯駆動における前記第１駆動電力に基づいて設定される、請求項１または２に記載の放電灯駆動装置。
【請求項４】
前記熱負荷の大きさは、前記高電力駆動における前記第２駆動電力の値に応じて調整される、請求項１から３のいずれか一項に記載の放電灯駆動装置。
【請求項５】
前記熱負荷の大きさは、前記高電力駆動において前記放電灯に供給される駆動電流の波形に応じて調整される、請求項１から４のいずれか一項に記載の放電灯駆動装置。
【請求項６】
前記制御部は、前記放電灯が点灯開始してから、前記定常点灯駆動が行われる定常点灯期間に移行するまでの立上期間において、前記高電力駆動を実行するように前記放電灯駆動部を制御する、請求項１から５のいずれか一項に記載の放電灯駆動装置。
【請求項７】
前記制御部は、前記定常点灯駆動が行われる定常点灯期間において、前記高電力駆動を実行するように前記放電灯駆動部を制御する、請求項１から５のいずれか一項に記載の放電灯駆動装置。
【請求項８】
光を射出する前記放電灯と、
請求項１から７のいずれか一項に記載の放電灯駆動装置と、
を備えることを特徴とする光源装置。
【請求項９】
請求項８に記載の光源装置と、
前記光源装置から射出される光を映像信号に応じて変調する光変調素子と、
前記光変調素子により変調された光を投射する投射光学系と、
を備えることを特徴とするプロジェクター。
【請求項１０】
電極を有する放電灯に駆動電力を供給して、前記放電灯を駆動させる放電灯駆動方法であって、
前記放電灯に第１駆動電力を供給する定常点灯駆動と、前記放電灯に前記第１駆動電力よりも大きい第２駆動電力を供給する高電力駆動と、を含み、
前記高電力駆動による前記電極への熱負荷の大きさを、前記第１駆動電力に基づいて設定することを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
近年、プロジェクターには省エネルギー化が求められている。そのため、ランプへの駆動電力を通常よりも低下させる低電力モード、映像信号に同期して駆動電力を変化させる調光モード、外部から映像信号が入力されていないときに駆動電力を低下させる待機モードなど、各種の点灯モードを搭載したプロジェクターが提供されている。例えば低電力モードでは、ランプに供給される駆動電力が低いため、電極への負荷が小さくなり、ランプの寿命が長くなる。
【０００３】
しかしながら、駆動電力が定格電力よりも小さい場合、電極先端の突起を充分に溶融させることができず、点灯を長時間続けると、突起が損耗、縮小する。突起の縮小は電極間距離が広がることとなり、照度の低下を引き起こす。つまり、電極先端の突起の形状を維持できない場合、低電力モードの利点を生かせず、ランプの寿命が短くなるという問題が生じる。そこで、この問題を解決するために、例えば、特許文献１に示すように、ランプ点灯後の所定の期間において、電極の突起の溶融を促進するリフレッシュ点灯モードでランプを駆動する放電灯点灯装置、およびプロジェクターが提案されている。
【先行技術文献】
【特許文献】
【０００４】
【特許文献１】特開２００８−２７００５８号公報
【発明の概要】
【発明が解決しようとする課題】
【０００５】
駆動電力が比較的低い点灯モードにおいては、電極に加えられる熱負荷が小さいため、電極先端の突起は細くなる。そのため、駆動電力が比較的低い点灯モードが実行されたランプ（放電灯）に対して、駆動電力が比較的高いモードが実行されたランプと同様の条件でリフレッシュ点灯モードを実行すると、細くなった突起に過度に熱負荷が加えられる。これにより、突起が消失し、放電灯のちらつきが生じる場合があった。
【０００６】
本発明の一つの態様は、上記問題点に鑑みて成されたものであって、放電灯のちらつきが生じることを抑制できる放電灯駆動装置、そのような放電灯駆動装置を備える光源装置、およびそのような光源装置を備えるプロジェクターを提供することを目的の一つとする。また、本発明の一つの態様は、放電灯のちらつきが生じることを抑制できる放電灯駆動方法を提供することを目的の一つとする。
【課題を解決するための手段】
【０００７】
本発明の放電灯駆動装置の一つの態様は、電極を有する放電灯に駆動電力を供給する放電灯駆動部と、前記放電灯駆動部を制御する制御部と、を備え、前記制御部は、前記放電灯に第１駆動電力を供給する定常点灯駆動と、前記放電灯に前記第１駆動電力よりも大きい第２駆動電力を供給する高電力駆動と、を実行可能であり、前記高電力駆動による前記電極への熱負荷の大きさは、前記第１駆動電力に基づいて設定されることを特徴とする。
【０００８】
本発明の放電灯駆動装置の一つの態様によれば、第１駆動電力に基づいて高電力駆動による電極への熱負荷の大きさが設定されるため、第１駆動電力が比較的低く、電極先端の突起が細くなった場合に、高電力駆動による電極への熱負荷の大きさを小さく設定することができる。したがって、本発明の放電灯駆動装置の一つの態様によれば、突起が消失することを抑制でき、放電灯のちらつきが生じることを抑制できる。
【０００９】
前記熱負荷の大きさは、前記第１駆動電力が小さいほど小さく設定される構成としてもよい。
この構成によれば、電極の突起が細くなるほど、熱負荷を小さくできるため、放電灯のちらつきが生じることを抑制できる。
【００１０】
前記熱負荷の大きさは、前回実行された前記定常点灯駆動における前記第１駆動電力に基づいて設定される構成としてもよい。
この構成によれば、電極の突起の状態に応じて、適切に高電力駆動を実行できる。
【００１１】
前記熱負荷の大きさは、前記高電力駆動における前記第２駆動電力の値に応じて調整される構成としてもよい。
この構成によれば、第２駆動電力の値に応じて、熱負荷の大きさを調整できる。
【００１２】
前記熱負荷の大きさは、前記高電力駆動において前記放電灯に供給される駆動電流の波形に応じて調整される構成としてもよい。
この構成によれば、駆動電流の波形に応じて、熱負荷の大きさを調整できる。
【００１３】
前記制御部は、前記放電灯が点灯開始してから、前記定常点灯駆動が行われる定常点灯期間に移行するまでの立上期間において、前記高電力駆動を実行するように前記放電灯駆動部を制御する構成としてもよい。
この構成によれば、高電力駆動を行った際に、放電灯がちらつくことを抑制できる。
【００１４】
前記制御部は、前記定常点灯駆動が行われる定常点灯期間において、前記高電力駆動を実行するように前記放電灯駆動部を制御する構成としてもよい。
この構成によれば、高電力駆動を適切なタイミングで実行できる。
【００１５】
本発明の光源装置の一つの態様は、光を射出する前記放電灯と、上記の放電灯駆動装置と、を備えることを特徴とする。
【００１６】
本発明の光源装置の一つの態様によれば、上記の放電灯駆動装置を備えるため、放電灯のちらつきが生じることを抑制できる光源装置が得られる。
【００１７】
本発明のプロジェクターの一つの態様は、上記の光源装置と、前記光源装置から射出される光を映像信号に応じて変調する光変調素子と、前記光変調素子により変調された光を投射する投射光学系と、を備えることを特徴とする。
【００１８】
本発明のプロジェクターの一つの態様によれば、上記の光源装置を備えるため、放電灯のちらつきが生じることを抑制できるプロジェクターが得られる。
【００１９】
本発明の放電灯駆動方法の一つの態様は、電極を有する放電灯に駆動電力を供給して、前記放電灯を駆動させる放電灯駆動方法であって、前記放電灯に第１駆動電力を供給する定常点灯駆動と、前記放電灯に前記第１駆動電力よりも大きい第２駆動電力を供給する高電力駆動と、を含み、前記高電力駆動による前記電極への熱負荷の大きさを、前記第１駆動電力に基づいて設定することを特徴とする。
【００２０】
本発明の放電灯駆動方法の一つの態様によれば、上記と同様にして、放電灯のちらつきが生じることを抑制できる。
【図面の簡単な説明】
【００２１】
【図１】本実施形態のプロジェクターの概略構成図である。
【図２】本実施形態における放電灯の断面図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６】放電灯の電極先端の突起の様子を示す図である。
【図７】本実施形態の駆動電力波形の一例を示す図である。
【図８】定常点灯電力ごとの電極先端の突起の形状を示す図である。
【図９】本実施形態の高負荷駆動電流波形の一例を示す図である。
【発明を実施するための形態】
【００２２】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２３】
図１に示すように、本実施形態のプロジェクター５００は、光源装置２００と、平行化レンズ３０５と、照明光学系３１０と、色分離光学系３２０と、３つの液晶ライトバルブ３３０Ｒ，３３０Ｇ，３３０Ｂ（光変調素子）と、クロスダイクロイックプリズム３４０と、投射光学系３５０と、を備えている。
【００２４】
光源装置２００から射出された光は、平行化レンズ３０５を通過して照明光学系３１０に入射する。平行化レンズ３０５は、光源装置２００からの光を平行化する。
【００２５】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００２６】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００２７】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００２８】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡５０と、を備えている。
【００２９】
放電灯点灯装置１０は、放電灯９０に駆動電力Ｗｄ（駆動電流Ｉ）を供給して放電灯９０を点灯させる。主反射鏡１１２は、放電灯９０から放出された光を照射方向Ｄに向けて反射する。照射方向Ｄは、放電灯９０の光軸ＡＸと平行である。
【００３０】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００３１】
放電空間９１には、第１電極（電極）９２および第２電極（電極）９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３２】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３３】
第１端子５３６および第２端子５４６は、放電灯点灯装置１０に接続されている。放電灯点灯装置１０は、第１端子５３６および第２端子５４６に、放電灯９０を駆動するための駆動電力Ｗｄを供給する。その結果、第１電極９２および第２電極９３の間でアーク放電が起きる。アーク放電により発生した光（放電光）は、破線の矢印で示すように、放電位置から全方向に向かって放射される。
【００３４】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００３５】
副反射鏡５０は、固定部材５２２により、放電灯９０の第２端部９０ｅ２側に固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００３６】
固定部材１１４，５２２の材料は、放電灯９０からの発熱に耐え得る耐熱材料である範囲内において、特に限定されず、例えば、無機接着剤である。主反射鏡１１２および副反射鏡５０と放電灯９０との配置を固定する方法としては、主反射鏡１１２および副反射鏡５０を放電灯９０に固定する方法に限らず、任意の方法を採用できる。例えば、放電灯９０と主反射鏡１１２とを、独立にプロジェクター５００の筐体（図示せず）に固定してもよい。副反射鏡５０についても同様である。
【００３７】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００３８】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００３９】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００４０】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００４１】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００４２】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００４３】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００４４】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部６０と、イグナイター回路７０と、を備えている。
【００４５】
電力制御回路２０は、放電灯９０に供給する駆動電力Ｗｄを生成する。本実施形態においては、電力制御回路２０は、直流電源装置８０からの電圧を入力とし、入力電圧を降圧して直流電流Ｉｄを出力するダウンチョッパー回路で構成されている。
【００４６】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００４７】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００４８】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００４９】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５０】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００５１】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５２】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００５３】
本実施形態において、電力制御回路２０と極性反転回路３０とを合わせた部分が放電灯駆動部２３０に対応する。すなわち、放電灯駆動部２３０は、放電灯９０を駆動する駆動電力Ｗｄ（駆動電流Ｉ）を放電灯９０に供給する。
【００５４】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力Ｗｄの電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００５５】
本実施形態においては、制御部４０は、放電灯９０に定常点灯電力（第１駆動電力）Ｗｓが供給される定常点灯モード（定常点灯駆動）と、放電灯９０に定常点灯電力よりも大きいリフレッシュ電力（第２駆動電力）Ｗｒが供給される高電力モード（高電力駆動）とを実行可能である。
【００５６】
本実施形態において制御部４０は、定常点灯電力Ｗｓに基づいて、高電力モードによる第１電極９２および第２電極９３への熱負荷の大きさを設定する。すなわち、第１電極９２および第２電極９３への熱負荷の大きさは、定常点灯電力Ｗｓに基づいて設定される。詳細については、後述する。
【００５７】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００５８】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧Ｖｌａおよび駆動電流Ｉに基づき、電力制御回路コントローラー４２および極性反転回路コントローラー４３を制御してもよい。
【００５９】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、周波数、波形、変調パターン等の駆動パラメーターに関する情報が格納されていてもよい。
【００６０】
また、本実施形態においては、記憶部４４には、前回実行された点灯モードにおいて放電灯９０に供給されていた定常点灯電力Ｗｓの値、および定常点灯電力Ｗｓごとに設定されたリフレッシュ電力Ｗｒの値が格納されている。
なお、本明細書において、前回実行された点灯モードとは、最後に電源が切られた際の直前において実行されていた点灯モードを含む。
【００６１】
電力制御回路コントローラー４２は、システムコントローラー４１からの制御信号に基づき、電力制御回路２０へ電流制御信号を出力することにより、電力制御回路２０を制御する。
【００６２】
極性反転回路コントローラー４３は、システムコントローラー４１からの制御信号に基づき、極性反転回路３０へ極性反転制御信号を出力することにより、極性反転回路３０を制御する。
【００６３】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００６４】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００６５】
図４に示した例では、制御部４０は、放電灯点灯装置１０の一部として構成されている。これに対して、制御部４０の機能の一部をＣＰＵ５８０が担うように構成されていてもよい。
【００６６】
動作検出部６０は、本実施形態においては、放電灯９０のランプ電圧Ｖｌａを検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００６７】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００６８】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００６９】
図６（ａ），（ｂ）には、第１電極９２および第２電極９３の先端部分が示されている。第１電極９２および第２電極９３の先端にはそれぞれ突起５５２ｐ，５６２ｐが形成されている。第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。
【００７０】
図６（ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７１】
図６（ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００７２】
このように、放電灯９０に駆動電流Ｉが供給されることで、電子が衝突する陽極の温度は上昇する。一方、電子を放出する陰極は、陽極に向けて電子を放出している間、温度は低下する。
【００７３】
第１電極９２と第２電極９３との電極間距離Ｌは、突起５５２ｐ，５６２ｐの劣化とともに大きくなる。突起５５２ｐ，５６２ｐが損耗するためである。電極間距離Ｌが大きくなると、第１電極９２と第２電極９３との間の抵抗が大きくなるため、ランプ電圧Ｖｌａが大きくなる。したがって、ランプ電圧Ｖｌａを参照することによって、電極間距離Ｌの変化、すなわち、放電灯９０の劣化度合いを検出することができる。
【００７４】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【００７５】
次に、本実施形態における放電灯９０へ供給される駆動電力Ｗｄの制御について説明する。
以下の説明においては、一例として、放電灯９０の点灯を開始してから、定常点灯モードへと移行するまでの立上期間において高電力モードが実行される場合について説明する。
【００７６】
また、以下の説明においては、一例として、高電力モードにおける第１電極９２への熱負荷の大きさを、リフレッシュ電力Ｗｒの値に応じて調整する場合について説明する。すなわち、本実施形態においては、リフレッシュ電力Ｗｒの値を大きくすることによって、高電力モードにおける第１電極９２への熱負荷の大きさを大きくし、リフレッシュ電力Ｗｒの値を小さくすることによって、高電力モードにおける第１電極９２への熱負荷の大きさを小さくする。
【００７７】
図７は、本実施形態の駆動電力波形を示す図である。図７において、縦軸は駆動電力Ｗｄを示しており、横軸は時間Ｔを示している。図７では、放電灯９０の点灯を開始してから定常点灯モードによって駆動する状態になるまでの駆動電力Ｗｄの変化を示している。図７においては、定常点灯電力Ｗｓが、Ｗｓ１、Ｗｓ２、Ｗｓ３となるそれぞれの場合の駆動電力波形を示している。定常点灯電力Ｗｓ３と、定常点灯電力Ｗｓ２と、定常点灯電力Ｗｓ１と、はこの順で小さくなる。
【００７８】
図７に示すように、放電灯９０の点灯を開始（ランプ点灯開始）すると、駆動電力Ｗｄは徐々に上昇した後、所定の目標電力（リフレッシュ電力Ｗｒ）に到達する。このとき、放電灯９０の内部のプラズマ密度は小さく、温度は低く、駆動電力Ｗｄは不安定な状態である。その後、放電灯９０の内部のプラズマ密度が大きく、温度が高くなるにつれて、駆動電力Ｗｄは安定な状態となる。放電灯９０の点灯開始から駆動電力Ｗｄが安定するまでの期間を立上期間ＰＨ１と定義する。立上期間ＰＨ１が過ぎた後は継続的に放電灯９０を点灯させる期間に入る。この期間を定常点灯期間ＰＨ２と定義する。
【００７９】
本実施形態の駆動電力波形においては、立上期間ＰＨ１は、リフレッシュ電力Ｗｒに向けて駆動電力Ｗｄが徐々に増加する第１立上期間、例えば、第１立上期間ＰＨ１１と、駆動電力Ｗｄがリフレッシュ電力Ｗｒの値に一定に維持される第２立上期間、例えば、第２立上期間ＰＨ１２と、を有している。第２立上期間は、高電力モードで放電灯９０が駆動される高電力点灯期間である。
【００８０】
定常点灯期間ＰＨ２は、放電灯９０に定常点灯電力Ｗｓが供給される定常点灯モードが実行される期間である。定常点灯電力Ｗｓは、第２立上期間におけるリフレッシュ電力Ｗｒよりも小さい。
【００８１】
本実施形態においては、高電力モードのリフレッシュ電力Ｗｒの大きさは、定常点灯期間ＰＨ２における定常点灯電力Ｗｓの値に基づいて設定されるため、定常点灯電力Ｗｓの値ごとに立上期間ＰＨ１の駆動電力波形が異なる。図７において示す、第１立上期間ＰＨ１１と第２立上期間ＰＨ１２とは、定常点灯期間ＰＨ２における定常点灯電力ＷｓがＷｓ３である場合の第１立上期間と第２立上期間とを示している。図７の例においては、定常点灯電力ＷｓがＷｓ３である場合、リフレッシュ電力Ｗｒは、Ｗｒ３に設定されている。
【００８２】
第１立上期間ＰＨ１１においては、駆動電力Ｗｄがリフレッシュ電力Ｗｒ３に向けて徐々に増加する。そして、駆動電力Ｗｄがリフレッシュ電力Ｗｒ３に到達した場合（時刻Ｔ３）、駆動電力波形は、第２立上期間ＰＨ１２へと移行する。第２立上期間ＰＨ１２においては、駆動電力Ｗｄがリフレッシュ電力Ｗｒ３の値に一定に維持される。第２立上期間ＰＨ１２が所定時間、例えば、図７の例では時刻Ｔ３から時刻Ｔ４まで実行された後、駆動電力波形は、定常点灯期間ＰＨ２へと移行する。
【００８３】
定常点灯電力ＷｓがＷｓ２である場合においては、駆動電力Ｗｄがリフレッシュ電力Ｗｒ２に到達した場合（時刻Ｔ２）、駆動電力波形は第２立上期間に移行し、駆動電力Ｗｄがリフレッシュ電力Ｗｒ２の値に一定に維持される。この場合、第２立上期間は、時刻Ｔ２から時刻Ｔ４までの期間に相当する。そして、駆動電力波形は、第２立上期間の後、定常点灯期間ＰＨ２へと移行する。
【００８４】
定常点灯電力ＷｓがＷｓ１である場合においては、駆動電力Ｗｄがリフレッシュ電力Ｗｒ１に到達した場合（時刻Ｔ１）、駆動電力波形は第２立上期間に移行し、駆動電力Ｗｄがリフレッシュ電力Ｗｒ１の値に一定に維持される。この場合、第２立上期間は、時刻Ｔ１から時刻Ｔ４までの期間に相当する。そして、駆動電力波形は、第２立上期間の後、定常点灯期間ＰＨ２へと移行する。
【００８５】
本実施形態において制御部４０は、定常点灯電力Ｗｓが小さいほど、高電力モードにおいて第１電極９２に加えられる熱負荷が小さくなるように、リフレッシュ電力Ｗｒの値を設定する。すなわち、本実施形態においては、定常点灯電力Ｗｓが小さいほど、リフレッシュ電力Ｗｒは小さく設定される。したがって、定常点灯電力Ｗｓ３の場合におけるリフレッシュ電力Ｗｒ３と、定常点灯電力Ｗｓ２の場合におけるリフレッシュ電力Ｗｒ２と、定常点灯電力Ｗｓ１の場合におけるリフレッシュ電力Ｗｒ１と、はこの順で小さくなる。
定常点灯電力Ｗｓに対して設定されるリフレッシュ電力Ｗｒ（Ｗ）の一例を表１に示す。
【００８６】
【表１】
2016051628.tif 000003
【００８７】
表１においては、定常点灯電力Ｗｓが１６０Ｗ，１４０Ｗ，１２０Ｗのそれぞれの場合に設定されるリフレッシュ電力Ｗｒ（Ｗ）の一例を示している。
【００８８】
本実施形態において制御部４０は、記憶部４４に格納された前回の定常点灯モードにおける定常点灯電力Ｗｓに基づいて、実行する高電力モードにおけるリフレッシュ電力Ｗｒを決定し、高電力モードを実行する。リフレッシュ電力Ｗｒの決定は、一例として、記憶部４４に記憶された定常点灯電力Ｗｓごとのリフレッシュ電力Ｗｒから、例えば表１のような換算テーブルを用いて、定常点灯電力Ｗｓに対応したリフレッシュ電力Ｗｒを選択することによって行われる。
【００８９】
以上のようにして、制御部４０は、放電灯９０の点灯を開始してから、定常点灯モードが行われる定常点灯期間ＰＨ２に移行するまでの立上期間ＰＨ１において、高電力モードを実行するように放電灯駆動部２３０を制御し、放電灯９０を駆動する。
【００９０】
上記の制御部４０による放電灯駆動部２３０の制御は、放電灯駆動方法として表現することもできる。すなわち、本実施形態の放電灯駆動方法は、第１電極９２および第２電極９３を有する放電灯９０に駆動電力Ｗｄを供給して、放電灯９０を駆動させる放電灯駆動方法であって、放電灯９０に定常点灯電力Ｗｓを供給する定常点灯モードと、放電灯９０に定常点灯電力Ｗｓよりも大きいリフレッシュ電力Ｗｒを供給する高電力モードと、を含み、高電力モードによる第１電極９２および第２電極９３への熱負荷の大きさを、定常点灯電力Ｗｓに基づいて設定することを特徴とする。
【００９１】
本実施形態によれば、定常点灯電力Ｗｓに基づいてリフレッシュ電力Ｗｒの大きさが設定されるため、放電灯９０のちらつきが生じることを抑制できる。以下、詳細に説明する。
【００９２】
図８（ａ）〜（ｃ）は、定常点灯電力Ｗｓの値が各図で異なる場合の第１電極９２の突起５５２ｐの状態を示した図である。図８（ａ）においては、一例として定常点灯電力Ｗｓが１６０Ｗである場合を示している。図８（ｂ）においては、一例として定常点灯電力Ｗｓが１４０Ｗである場合を示している。図８（ｃ）においては、一例として定常点灯電力Ｗｓが１２０Ｗである場合を示している。
【００９３】
図８（ａ）〜（ｃ）に示すように、定常点灯電力Ｗｓが小さくなるほど、電極間に流れる駆動電流Ｉの値が小さくなるため、電極の溶融領域ＡＲ１，ＡＲ２，ＡＲ３は小さくなる。第１電極９２の突起５５２ｐの太さは、各溶融領域ＡＲ１〜ＡＲ３の大きさに応じたものとなるため、溶融領域ＡＲ１〜ＡＲ３が小さいほど、突起５５２ｐは細くなる。その結果、定常点灯電力Ｗｓが小さいほど、第１電極９２の突起５５２ｐが細くなる。
【００９４】
例えば、図８（ｃ）に示すように、放電灯９０が比較的低い定常点灯電力Ｗｓ（１２０Ｗ）で駆動されたことによって、細くなった突起５５２ｐに対して、図８（ａ）に示すような突起５５２ｐが比較的太い場合に実行される高電力モードにおけるリフレッシュ電力Ｗｒ（２００Ｗ）が供給されると、突起５５２ｐに過度の熱負荷が加えられ、突起５５２ｐが消失する場合があった。これにより、放電灯９０内におけるアーク放電の輝点の位置が不安定となり、放電灯９０にちらつきが生じる場合があった。
【００９５】
これに対して、本実施形態によれば、定常点灯電力Ｗｓが小さくなるほど、第１電極９２に加えられる熱負荷が小さくなるように、リフレッシュ電力Ｗｒが小さく設定される。そのため、比較的低い定常点灯電力Ｗｓで駆動された放電灯９０に対しては、比較的低いリフレッシュ電力Ｗｒで高電力モードが実行される。これにより、比較的低い定常点灯電力Ｗｓで駆動されることで細くなった突起５５２ｐに、熱負荷が過度に加えられることが抑制される。したがって、本実施形態によれば、突起５５２ｐが消失することを抑制でき、放電灯９０のちらつきが生じることを抑制できる。
【００９６】
また、本実施形態によれば、突起５５２ｐには、消失しない程度に適度に熱負荷が加えられるため、上述したように放電灯９０のちらつきを抑制しつつ、定常点灯電力Ｗｓに応じて突起５５２ｐの成長を促進することができる。これにより、本実施形態によれば、放電灯９０の寿命を向上できる。
【００９７】
また、突起５５２ｐの消失が生じると、蒸散した突起５５２ｐの成分が放電灯９０の発光管の内壁に付着することで黒化が生じ、放電灯９０の照度が低下する場合がある。
これに対して、本実施形態によれば、突起５５２ｐの消失を抑制できるため、黒化を抑制でき、その結果、放電灯９０の照度が低下することを抑制できる。
【００９８】
また、本実施形態によれば、高電力モードのリフレッシュ電力Ｗｒを設定する際に制御部４０が参照する定常点灯電力Ｗｓは、前回実行された定常点灯モードにおいて放電灯９０に供給されていた定常点灯電力Ｗｓである。そのため、例えば、第１立上期間ＰＨ１１において、定常点灯電力Ｗｓの設定が変更された場合であっても、定常点灯電力Ｗｓの設定変更以前に実行された定常点灯モードの定常点灯電力Ｗｓに応じた第１電極９２の突起５５２ｐの太さに合わせて、高電力モードのリフレッシュ電力Ｗｒが設定される。したがって、本実施形態によれば、突起５５２ｐの太さに応じて、適切に高電力モードを実行できる。
【００９９】
また、高電力モードが実行されると、放電灯９０に供給される駆動電力Ｗｄが大きくなるため、放電灯９０から射出される光の強度が大きくなる。これにより、定常点灯期間ＰＨ２中に高電力モードが実行されると、放電灯９０から射出される光の強度が変化し、ちらつきが生じる場合がある。
これに対して、本実施形態によれば、立上期間ＰＨ１において高電力モードが実行される。そのため、定常点灯期間ＰＨ２において駆動電力Ｗｄが大きくなることが抑制され、放電灯９０のちらつきが生じることを抑制できる。
【０１００】
なお、本実施形態においては、以下の構成および方法を採用することもできる。
【０１０１】
上記説明においては、リフレッシュ電力Ｗｒは、定常点灯電力Ｗｓが小さいほど、小さく設定される構成としたが、これに限られない。本実施形態においては、定常点灯電力Ｗｓが所定の値以上である場合には、リフレッシュ電力Ｗｒを一定として、定常点灯電力Ｗｓが所定の値より小さい場合に、リフレッシュ電力Ｗｒを小さくするような構成であってもよい。
【０１０２】
また、本実施形態においては、例えば、定常点灯電力Ｗｓに基づいて、リフレッシュ電力Ｗｒが段階的に設定される構成としてもよい。一例としては、定常点灯電力Ｗｓが１６０Ｗ以上、２００Ｗより小さい範囲では、リフレッシュ電力Ｗｒが２００Ｗに設定され、定常点灯電力Ｗｓが１４０Ｗ以上、１６０Ｗより小さい範囲では、リフレッシュ電力Ｗｒが１８５Ｗに設定され、定常点灯電力Ｗｓが１４０Ｗより小さい範囲では、リフレッシュ電力Ｗｒが１７０Ｗに設定される構成とできる。
【０１０３】
また、上記説明においては、高電力モードにおいて第１電極９２に加えられる熱負荷を調整する方法として、リフレッシュ電力Ｗｒの値に応じて調整する方法を選択したが、これに限られない。本実施形態においては、例えば、高電力モードにおける駆動電流波形に応じて、高電力モードにおいて第１電極９２に加えられる熱負荷を調整してもよい。言い換えると、第１電極９２に加えられる熱負荷の大きさは、高電力モードにおいて放電灯９０に供給される駆動電流波形を調整することによって調整されてもよい。
【０１０４】
具体的には、例えば、制御部４０は、高電力モードにおける駆動電流波形が、第１電極９２に高い熱負荷を加えることができる高負荷駆動電流波形を含むように放電灯駆動部２３０を制御し、駆動電流波形全体に対する高負荷駆動電流波形の割合を調整する。これにより、第１電極９２に加えられる熱負荷の大きさを調整する。
【０１０５】
図９は、高負荷駆動電流波形（駆動電流波形）ＤＷの一例である。図９においては、縦軸は駆動電流Ｉを示しており、横軸は時間Ｔを示している。駆動電流Ｉは、第１極性状態である場合を正とし、第２極性状態となる場合を負として示している。
【０１０６】
高負荷駆動電流波形ＤＷは、図９に示すように、複数の制御サイクルＣが連続して構成される。制御サイクルＣは、第１制御サイクルＣ１と、第２制御サイクルＣ２と、を含む。
第１制御サイクルＣ１は、複数の単位駆動期間Ｕ１が連続して構成されている。一例として、一つの第１制御サイクルＣ１には、１０個の単位駆動期間Ｕ１が含まれている。
【０１０７】
単位駆動期間Ｕ１は、直流期間Ｕ１ａと、交流期間Ｕ１ｂと、からなる。
直流期間Ｕ１ａは、駆動電流Ｉとして電流値Ｉｍ１の直流電流、すなわち、第１極性状態の直流電流が放電灯９０に供給される期間である。
交流期間Ｕ１ｂは、駆動電流Ｉとして、電流値Ｉｍ１と電流値−Ｉｍ１との間で極性が複数回反転される交流電流が放電灯９０に供給される期間である。
【０１０８】
第２制御サイクルＣ２は、複数の単位駆動期間Ｕ２が連続して構成されている。一例として、一つの第２制御サイクルＣ２には、１０個の単位駆動期間Ｕ２が含まれている。
単位駆動期間Ｕ２は、直流期間Ｕ２ａと、交流期間Ｕ２ｂと、からなる。
直流期間Ｕ２ａは、駆動電流Ｉとして電流値−Ｉｍ１の直流電流、すなわち、第２極性状態の直流電流が放電灯９０に供給される期間である。
交流期間Ｕ２ｂは、第１制御サイクルＣ１の交流期間Ｕ１ｂと同様に、電流値Ｉｍ１と電流値−Ｉｍ１との間で極性が複数回反転される交流電流が放電灯９０に供給される期間である。
【０１０９】
第１制御サイクルＣ１においては、第１極性状態の直流電流が供給される直流期間Ｕ１ａが設けられているため、第１電極９２に加えられる熱負荷が大きい。一方、第２制御サイクルＣ２においては、第２極性状態の直流電流が供給される直流期間Ｕ２ａが設けられているため、第２電極９３に加えられる熱負荷が大きい。
したがって、制御サイクルＣを繰り返し行うことで、第１電極９２および第２電極９３に加えられる熱負荷を大きくできる。
【０１１０】
直流期間Ｕ１ａ，Ｕ２ａの長さｔ１，ｔ３は、一例として、８ｍｓ（ミリ秒）程度に設定される。交流期間Ｕ１ｂ，Ｕ２ｂの長さｔ２，ｔ４は、一例として、５００Ｈｚで５周期分、すなわち、１０ｍｓ（ミリ秒）程度に設定される。このように設定することで、第１電極９２および第２電極９３に加えられる熱負荷を好適に大きくできる。
【０１１１】
制御部４０は、定常点灯電力Ｗｓが小さいほど、高電力モードにおける駆動電流波形全体に対する高負荷駆動電流波形ＤＷの割合が小さくなるように設定する。これにより、定常点灯電力Ｗｓが小さいほど、高電力モードにおいて第１電極９２に加えられる熱負荷を小さくすることができ、突起５５２ｐの消失を抑制できる。
定常点灯電力Ｗｓに対して設定される高負荷駆動電流波形ＤＷの割合（％）の一例を表２に示す。
【０１１２】
【表２】
2016051628.tif 000004
【０１１３】
表２においては、定常点灯電力Ｗｓが１６０Ｗ，１４０Ｗ，１２０Ｗのそれぞれの場合に設定される高負荷駆動電流波形ＤＷの割合（％）の一例を示している。表２においては、高電力モードにおけるリフレッシュ電力Ｗｒは、定常点灯電力Ｗｓの大きさによらず、例えば、１７０Ｗで一定に設定される。
【０１１４】
なお、この構成において、高負荷駆動電流波形ＤＷは、第１電極９２に加えられる熱負荷を大きくできる範囲において、特に限定されず、どのような波形であってもよい。高負荷駆動電流波形ＤＷとしては、例えば、通常の駆動電流波形の駆動電流Ｉよりも大きい値を有する駆動電流Ｉが放電灯９０に供給される波形としてもよい。
【０１１５】
また、本実施形態においては、上記説明した、リフレッシュ電力Ｗｒの値と、高負荷駆動電流波形ＤＷの割合と、の両方を、定常点灯電力Ｗｓに基づいて調整することで、高電力モードにおいて第１電極９２に加えられる熱負荷の大きさを調整してもよい。
【０１１６】
また、上記説明においては、高電力モードが立上期間ＰＨ１において実行される構成としたが、これに限られない。本実施形態においては、高電力モードは、定常点灯期間ＰＨ２において実行される構成としてもよい。すなわち、制御部４０は、定常点灯モードが行われる定常点灯期間ＰＨ２の間において、高電力モードを実行するように放電灯駆動部２３０を制御してもよい。この構成によれば、定常点灯期間ＰＨ２中のいずれのタイミングにおいても高電力モードを実行できるため、突起５５２ｐの劣化度合いに応じて、適切なタイミングで高電力モードを実行することができる。
【０１１７】
なお、上述の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１１８】
また、上述の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【符号の説明】
【０１１９】
１０…放電灯点灯装置（放電灯駆動装置）、４０…制御部、９０…放電灯、９２…第１電極（電極）、９３…第２電極（電極）、２００…光源装置、２３０…放電灯駆動部、３３０Ｒ，３３０Ｇ，３３０Ｂ…液晶ライトバルブ（光変調素子）、３５０…投射光学系、５００…プロジェクター、ＤＷ…高負荷駆動電流波形（駆動電流波形）、ＰＨ１…立上期間、ＰＨ２…定常点灯期間、Ｗｄ…駆動電力、Ｗｒ…リフレッシュ電力（第２駆動電力）、Ｗｓ…定常点灯電力（第１駆動電力）
【図１】
2016051628.tif 000005
【図２】
2016051628.tif 000006
【図３】
2016051628.tif 000007
【図４】
2016051628.tif 000008
【図５】
2016051628.tif 000009
【図６】
2016051628.tif 000010
【図７】
2016051628.tif 000011
【図８】
2016051628.tif 000012
【図９】
2016051628.tif 000013